(57)【要約】【課題】  介護者が車椅子に座った要介護者を簡易に出入りさせることができるとともに、要介護者が車椅子に座った状態で安心して入浴することができる介護用浴槽の提供。【解決手段】  前扉１１を有する有底かつ上方開口型の浴槽ケース１内に、有底かつ上方開口型の内袋２が装着されており、前扉１１は、前扉１１と底板１４とを接合する接合部材１８により開閉可能とされ、前扉１１を全開すると、前扉１１の内面が案内面１１ａを形成するとともに、内袋２は、前扉１１に対応する前面部２１の左右両端辺が、浴槽ケース１の側板１２，１２に対応する左右側面部２２，２３の前端辺に、水密機能を有するスライドファスナー２９を介して分離可能に連結され、前扉１１を全開したときに、スライドファスナー２９を開いて前面部２１を前方へ倒すことにより、前面部２１の案内面１１ａ上に敷設できるように構成されている。【選択図】      図１
2005312730.tif 000002
【特許請求の範囲】
【請求項１】
前扉、左右の側板および背板からなる周側板ならびに底板とで構成された、車椅子を収納可能な上方開口型の浴槽ケースと、この浴槽ケースの周側板と略同形の周側部を有する有底かつ上方が開口した、シート材からなる内袋とを備えるとともに、この内袋が前記浴槽ケース内に着脱可能に装着されてなる介護用浴槽であって、
前記浴槽ケースの前扉は、この前扉と前記底板とを接合する接合部材により開閉可能に連結され、前記前扉を全開すると前扉の内面が床面に対して段差のない案内面を形成するように構成されているとともに、
前記内袋は、前記浴槽ケースの前扉に対応する前面部の左右両端辺が、前記浴槽ケースの側板に対応する左右側面部の前端辺に、水密機能を有するスライドファスナーを介して分離可能に連結され、前記浴槽ケースの前扉を全開したときに、前記スライドファスナーを開いて前面部を前方へ倒すことにより、この前面部を前記案内面上に敷設できるように構成されている介護用浴槽。
【請求項２】
浴槽ケースの周側板の外面には周方向に沿ってフックが設けられるとともに、内袋の周側部には周方向に沿って引掛け輪が設けられ、前記内袋の周側部を前記浴槽ケースの周側板の外面側へ折り返して前記引掛け輪を前記フックに引掛けることで、前記内袋が前記浴槽ケース内に着脱可能に装着されていることを特徴とする請求項１に記載の介護用浴槽。
【請求項３】
引掛け輪が、内袋の周側部を構成する各面部の上部を外側へ折り曲げて形成された帯状鍔部内に設けられていることを特徴とする請求項２に記載の介護用浴槽。
【発明の詳細な説明】
【技術分野】
【０００１】
本発明は、介護者が高齢者や身体障害者などの要介護者を入浴させるときに用いる介護用浴槽に関し、さらに詳しくは介護者が要介護者を車椅子に座らせた状態で出入りでき、入浴させることのできる介護用浴槽に関する。
【背景技術】
【０００２】
従来、高齢者や身体障害者などの要介護者の入浴介護をするために用いられる介護用浴槽としては、例えば、介護者（ヘルパー）が、要介護者の背中を後ろ向きに傾斜させた状態で、専用の搬送車を用いて要介護者を専用の浴槽内に運び入れ、要介護者の背中を後ろ向きに傾斜させたまま浴槽内に湯を貯湯して入浴介護を行う浴槽が知られている。
【０００３】
しかしながら、要介護者は、日常使用している車椅子とは異なる搬送車に乗せられ、前記の姿勢で外観上通常の浴槽とは異なる機械的な形態をした専用の浴槽に運び込まれると、視界が主として上方だけになるため不安感が大きくなり、前記浴槽に入浴することに対して拒否反応を示すことが多く、また、前記浴槽は数百万から１千万とかなり高価なこともあってそれほど普及していないのが現状である。
【０００４】
そこで、前記問題点を解消した浴槽として、例えば、椅子を収納可能な大きさの袋体で構成され、前記袋体は、底板と側板とで上方開口型に形成するとともに、防水シートで折り畳み及び引き延ばし自在に形成し、袋体を引き延ばした状態で袋体内部に湯を収容できるように構成されている介護用浴槽が提案されている（特許文献１参照）。
【特許文献１】特開２００２−３６０６５４号公報
【発明の開示】
【発明が解決しようとする課題】
【０００５】
しかしながら、前記公報に記載されている浴槽は、介護者が要介護者を抱えて椅子に座らせて入浴させるものであり、従来に比べると介護者の作業負担が軽くなったとはいえるが、さらに介護者の作業負担の軽い浴槽が要望されていた。また、要介護者にとっては、安心して入浴するため、日常使用している車椅子に座ったまま浴槽に出入りして入浴したいという要望もあった。
【０００６】
本発明は前記問題点に鑑みてなされたものであり、その主たる目的は、介護者が車椅子に座った要介護者を簡易に浴槽に出入りさせることができるとともに、要介護者が車椅子に座った状態で安心して入浴することができる介護用浴槽を提供することにある。
【課題を解決するための手段】
【０００７】
請求項１の介護用浴槽は、前扉、左右の側板および背板からなる周側板ならびに底板とで構成された、車椅子を収納可能な上方開口型の浴槽ケースと、この浴槽ケースの周側板と略同形の周側部を有する有底かつ上方が開口した、シート材からなる内袋とを備えるとともに、この内袋が前記浴槽ケース内に着脱可能に装着されてなる介護用浴槽であって、
前記浴槽ケースの前扉は、この前扉と前記底板とを接合する接合部材により開閉可能に連結され、前記前扉を全開すると前扉の内面が床面に対して段差のない案内面を形成するように構成されているとともに、前記内袋は、前記浴槽ケースの前扉に対応する前面部の左右両端辺が、前記浴槽ケースの側板に対応する左右側面部の前端辺に水密機能を有するスライドファスナーにより分離可能に連結され、前記浴槽ケースの前扉を全開したときに、前記スライドファスナーを開いて前面部を前方へ倒すことにより、この前面部を前記案内面上に敷設できるように構成されていることを特徴とする。
【０００８】
請求項２の介護用浴槽は、請求項１の構成に加えて、浴槽ケースの周側板の外面には周方向に沿ってフックが設けられるとともに、内袋の周側部には周方向に沿って引掛け輪が設けられ、前記内袋の周側部を前記浴槽ケースの周側板の外面側へ折り返して前記引掛け輪を前記フックに引掛けることで、前記内袋が前記浴槽ケース内に着脱可能に装着されていることを特徴とする。
【０００９】
請求項３の介護用浴槽は、請求項２に記載の構成に加えて、引掛け輪が、内袋の周側部を構成する各面部の上部を外側へ折り曲げて形成された帯状鍔部内に設けられていることを特徴とする。
【発明の効果】
【００１０】
請求項１の介護用浴槽によれば、介護者が浴槽ケースの前扉を全開し、内袋のスライドファスナーを開くとともにその前面部を前方へ倒して前扉の内面に形成された案内面上に敷き、次いで要介護者が座っている車椅子を前記案内面に沿って押して要介護者を内袋の内部に運び込み、続いて内袋のスライドファスナーを閉めてから浴槽ケースの前扉を閉じ、その後内袋に湯張りをするという一連の作業を行うことで、介護者は、車椅子に座った要介護者を簡易に浴槽内部に運び込むことができるとともに、前記と逆の作業を行うことで、介護者は、車椅子に座った要介護者を簡易に浴槽外部へ運び出すことができる。また、要介護者は、前記一連の作業により浴槽内部に運び込まれるので、車椅子に座った状態で安心して入浴することができる。
【００１１】
請求項２の介護用浴槽によれば、介護者が要介護者を内袋の内部へ運び込んだり、あるいは内袋の外へ運び出したりするときに行う内袋の着脱作業が引掛け輪をフックに着脱するだけでできるので、介護者の作業負担が軽減される。
【００１２】
請求項３の介護用浴槽によれば、あらかじめ帯状鍔部が浴槽ケースの周側板の上端に載置され、前記帯状鍔部の端部が前記周側板の外側へ突出しているので、引掛け輪をフックに引掛けるときの取付け作業性が向上する。
【発明を実施するための最良の形態】
【００１３】
以下、本発明の実施の形態について図面を参照しつつ説明する。図１は、本発明の介護用浴槽の一例を示す外観斜視図であり、内袋２が浴槽ケース１内に収納されており、内袋２の周方向に沿って設けられた引掛け輪２７，２７，・・・が、浴槽ケース１の外面周方向に沿って設けられたフック１５，１５，・・・に着脱自在に装着されている。また、浴槽ケース１の背板１３には取っ手１９が、浴槽ケース１の底板１４の下面４隅にはキャスター１７，１７，・・・がそれぞれ取り付けられている。
【００１４】
図２は、図１の浴槽ケース１を示す外観斜視図であり、浴槽ケース１は、前扉１１、左右の側板１２，１２および背板１３が、ねじ、ボルト・ナットなどの締結部材（図示せず）により方形とされた周側板が、その下部にて前記締結部材により底板１４で塞がれてなる上方開口型の箱体を構成しており、前記周側板は車椅子を収納可能な大きさとされている。前扉１１、左右の側板１２，１２、背板１３および底板１４の材料は特に限定されず、例えば、木製、樹脂製また金属製の材料が挙げられ、これらは単独でまたは２種以上を組み合わせて用いられる。２種以上組み合わせて用いる例としては、例えば、下地に合板を用い、この合板の表裏面にメラミン系樹脂からなる化粧材を貼り合せて周側板や底板の面材とすることが挙げられる。
【００１５】
前扉１１の下端辺と底板１４の前端辺は、接合部材としての蝶番１８を介して開閉可能に連結されており、前扉１１の左右両端部及び左右の側板１２，１２の前端部に取り付けられた閉塞手段としての止め具１６，１６，・・・を外して前扉１１を全開すると、前扉１１の内面が床面に対して段差のない案内面１１ａを形成するように構成されている（図３参照）。この案内面１１ａは、介護者が車椅子に座った要介護者を内袋２の内外へ出入りさせるときに通る通路として利用されるので、数十〜百ｋｇ相当の重さに耐え得る強度があれば平面状の前扉１１のみを用いてもよいし、前扉１１の補強が必要な場合には、図２に示すように、前扉１１を全開したときに前扉１１を下から支持できるような略直角三角形状の支持部材１１ｂを前扉１１の外面に上下方向に設けるとともに、必要に応じて補強板１１ｃを前扉１１の外面に水平方向に設けることができる。
【００１６】
図４は、図１の内袋２を示す外観斜視図である。内袋２は、全体がシート材から構成され、浴槽ケース１内に収納された状態で、浴槽ケース１の周側板と略同形の周側部を有する有底かつ上方が開口した構成とされている。具体的には、内袋２は、前記浴槽ケース１の周側板の各面に対応して、前面部２１、右側面部２２、左側面部２３および背面部２４から構成される周側部を有するとともに、この周側部の下部が底面部２５で塞がれることにより構成されている。そして、右側面部２２と左側面部２３の各後端辺および背面部２４の左右両端辺は、例えば、ミシン縫、高周波ウエルダーによる溶着などにより接合されている。一方、前面部２１の左右両端辺および右側面部２２と左側面部２３の各前端辺は、水密機能を有するスライドファスナー２９，２９を介して分離可能に連結され、浴槽ケース１の前扉１１を全開したときに、スライドファスナー２９，２９を開いて前面部２１を前方へ倒すことにより、前面部２１を前記案内面１１ａ上に敷設できるようにされている（図５，図６参照）。
【００１７】
スライドファスナー２９としては、例えば、宇宙服、化学防護服、ダイビングスーツ、サバイバルスーツ等の防護服類用の水密性に優れたものが好ましく用いられる。スライドファスナー２９の構成は特に限定されないが、例えば、図４および図５に示すように、外面と内面に外エレメント２９ａと内エレメント２９ｂを取り付けた弾力性を有する防水テープ部２９ｃを前面部２１の左右両端辺および右側面部２２と左側面部２３の各前端辺に上下方向に沿って外側から取り付けるとともに、対向する前記各エレメントを噛み合わせるスライダー２９ｄを備え、スライダー２９ｄの閉操作により外エレメント２９ａと内エレメント２９ｂが組み合わされるときに、防水テープ部２９ｃが外エレメント２９ａと内エレメント２９ｂの間に挟み込まれるように構成されているものが挙げられる。
【００１８】
かかるスライドファスナー２９によれば、スライダー２９ｄが内袋２の外側に配置されるので、介護者によるスライダー２９ｄの開閉操作が楽に行えるとともに、前記各エレメントが組み合わされる際、防水テープ部２９ｃが圧縮されて２重の水密状態が形成されるので、水密性に優れたものとなる。以上説明した構成および機能を有するスライドファスナー２９としては、例えば、ＹＫＫ株式会社のＰＲＯＳＥＡＬ（登録商標）が挙げられる。
【００１９】
また、図４および図５に示したように、前記各エレメントの下端は底面部２５と略同一の位置に形成されるとともに、防水テープ部２９ｃの下端は、底面部２５よりやや下方へ延出されていることが好ましい。これにより、介護者がスライダー２９ｄを上方へ向けてスライドファスナー２９を閉操作する際に、一方の手で防水テープ部２９ｃの下端を持ち、他方の手でスライダー２９ｄを持って上方へスライドさせることができるので、スライドファスナー２９の閉操作を楽に行うことができる。
【００２０】
内袋２の周側部を構成する前面部２１、右側面部２２、左側面部２３および背面部２４の上部には、外側へ折り曲げて形成された帯状鍔部２６，２６，・・・が設けられ、この帯状鍔部２６には内袋２の周方向に沿って図１に示す引掛け輪２７，２７・・・を取り付けるための取付け孔２８，２８，・・・が形成されている。かかる帯状鍔部２６を設けることで、あらかじめ帯状鍔部２６が浴槽ケース１の周側板の上端に載置され、帯状鍔部２６の端部が前記周側板の外側へ突出しているので、引掛け輪２７をフック１５に引掛けるときの取付け作業性が向上する。
【００２１】
図１の介護用浴槽を使用する場合には、図６に示すように、まず、介護者３１があらかじめ内袋２の前面部２１に設けた引掛け輪２７，２７をフック１５，１５から取り外して浴槽ケース１の前扉１１を全開させるとともに、内袋２のスライダー２９ｄを下方へスライドさせて前面部２１を全開し、ついで前面部２１を前方へ倒して前扉１１の内面に形成された案内面１１ａ上に敷き、次いで要介護者３２が座っている車椅子を案内面１１ａに沿って押すことにより、要介護者３２を内袋２の内部へ運び込む。続いて、内袋２の前面部２１を上方に起こしてスライダー２９ｄを上方へスライドさせて有底角筒状の箱体としてから浴槽ケース１の前扉１１を起こして止め具１６を用いることにより前扉１１を閉める。そして、前面部２１に設けた引掛け輪２７，２７を前扉１１に設けたフック１５，１５に引掛けることにより、浴槽ケース１に対する内袋２の取付け作業を完了する。その後、ポンプ等適宜の液体移送手段を用いて内袋２の内部に湯を供給して適量の湯を貯湯した後要介護者３２を入浴させる（図７参照）。入浴終了後には、前記液体移送手段により湯を排水し、最後に要介護者３２を内袋２の内部へ運び込む作業と逆の作業により、要介護者３２を内袋２の外へ運び出す。
【００２２】
以上のように構成される図１の介護用浴槽によれば、介護者３１は、要介護者３２を入浴させるときに行う、前記案内面１１ａを利用して要介護者３２が座っている車椅子を押して内袋２の内部へ運び込む作業、内袋２を閉じた後前扉１１を閉じる作業、および入浴終了後に要介護者３２を運び出す前記と逆の作業がそれぞれ容易に行えるとともに、要介護者３２は、車椅子に座った状態で安心して入浴することができる。また、前記介護用浴槽は簡易な構成からなるので、浴槽ケース１と内袋２を合わせた価格はおよそ従来の１０分の１以下となり非常に安価に提供できる。
【００２３】
以上、本発明の詳細について説明したが、本発明の介護用浴槽は、図１に示した実施形態に限定されるものではなく、各種部材の大きさ、構造、配設位置などについては、本発明の要旨を逸脱しない範囲で適宜変更可能である。例えば、浴槽ケース１の底板１４下面に取り付けたキャスター１７は、介護用浴槽を必要に応じて適宜の場所へ移動できる点で技術的意義を有し、また、浴槽ケース１の背板１３の外面に取り付けた取っ手１９は、介護者３１が要介護者３２を浴槽の内外へ出入りさせやすい点で技術的意義を有するが、これらは本発明において必須部材ではなく必要に応じて設けられる部材である。
【００２４】
また、図１において、浴槽ケース１に対する内袋２の着脱手段として浴槽ケース１の周方向にフック１５が、内袋２の周方向に引掛け輪２７をそれぞれ設けているが、着脱手段としては、引掛け輪２７を取り付けずに取付け孔２８をフック１５に引掛けるようにしてもよいし、あるいは他の着脱手段を採用してもよい。さらに、図２において、浴槽ケース１の周側板は全体で方形とされているが、側板１２，１２と背板１３は必ずしも平面状にする必要はなく任意の形状を採用することができる。例えば、背板１３を外側に膨らむような円弧状に形成するとともに、その形に適合するように内袋２の背面部２４を円弧状としてもよい。かかる構成を採用することで、省スペースの周側板からなる浴槽ケース１を用いた場合であっても、要介護者３２の前方にある背板１３が外側に膨らむ円弧状とされているため、要介護者３２は足を伸ばしてリラックスした状態で入浴することができる。また、本発明の介護用浴槽には、入浴後の湯を排水するために、内袋２の任意の部分に栓付きの排水管を設け、この排水管を浴槽ケース１に設けた排水孔に挿通することにより、排水管の端部を介護用浴槽１の外部へ配設させることもできる。
【図面の簡単な説明】
【００２５】
【図１】本発明の介護用浴槽の一例を示す外観斜視図である。
【図２】図１の浴槽ケースの外観斜視図である。
【図３】図２の浴槽ケースの前扉を全開した状態を示す側面図である。
【図４】図１の内袋の外観斜視図である。
【図５】図４の内袋の前面部を分離した状態を示す外観斜視図である。
【図６】介護者が図１の浴槽内へ要介護者を運び込む状態を示す参考図である。
【図７】要介護者の入浴状態を示す参考図である。
【符号の説明】
【００２６】
１  浴槽ケース
１１  前扉
１１ａ  案内面
１１ｂ  支持部材
１１ｃ  補強板
１２  側板
１３  背板
１４  底板
１５  フック
１６  止め具
１７  キャスター
１８  蝶番
１９  取っ手
２  内袋
２１  前面部
２２  右側面部
２３  左側面部
２４  背面部
２５  底面部
２６  帯状鍔部
２７  引掛け輪
２８  取付け孔
２９  スライドファスナー
２９ａ  外エレメント
２９ｂ  内エレメント
２９ｃ  防水テープ部
２９ｄ  スライダー
３１  介護者
３２  要介護者
【図１】
2005312730.tif 000003
【図２】
2005312730.tif 000004
【図３】
2005312730.tif 000005
【図４】
2005312730.tif 000006
【図５】
2005312730.tif 000007
【図６】
2005312730.tif 000008
【図７】
2005312730.tif 000009